(57)【要約】【課題】表示記憶性を有する一方の表示画面にコンテンツを表示すると共に、表示されたコンテンツの中から、所望する文字を検索し、表示非記憶性を有する他方の表示画面に検索した結果を表示する画像表示装置を提供する。【解決手段】画像表示装置１は、表示記憶性を有し、文字を含むコンテンツを表示する第１の表示手段７４と、１つ以上の文字が入力される文字入力手段８２と、前記コンテンツの中から、前記文字を検索する検索手段８４と、表示非記憶性を有し、前記検索の結果を表示する第２の表示手段８０とを備える。【選択図】図１
2007171235.tif 000002
【特許請求の範囲】
【請求項１】
表示記憶性を有し、文字を含むコンテンツを表示する第１の表示手段と、
１つ以上の文字が入力される文字入力手段と、
前記コンテンツの中から、前記文字を検索する検索手段と、
表示非記憶性を有し、前記検索の結果を表示する第２の表示手段とを備えることを特徴とする画像表示装置。
【請求項２】
請求項１に記載の画像表示装置において、
前記検索の結果の中から、前記検索した１つを選択する選択手段を更に備え、
前記第１の表示手段は、前記選択された１つに対応する前記コンテンツの領域を更に表示することを特徴とする画像表示装置。
【請求項３】
請求項１乃至２のいずれかに記載の画像表示装置において、
前記文字入力手段は、前記文字が手書きにより入力されることを特徴とする画像表示装置。
【請求項４】
請求項３に記載の画像表示装置において、
前記第２の表示手段は、前記手書きにより入力される文字を更に表示することを特徴とする画像表示装置。
【請求項５】
コンテンツを表示するコンテンツ表示装置と、当該コンテンツ表示装置に対して指示する指示装置とが通信により接続された文字検索システムであって、
コンテンツ表示装置は、
表示記憶性を有し、文字を含むコンテンツを表示する第１の表示手段と、
前記指示装置から文字を受信する受信手段と、
前記コンテンツの中から、前記受信した文字を検索する検索手段と、
前記検索の結果を前記指示装置に送信する送信手段とを備え、
指示装置は、
１つ以上の文字が入力される文字入力手段と、
前記入力された文字を前記コンテンツ表示装置に送信する送信手段と、
前記コンテンツ表示装置から前記検索の結果を受信する受信手段と、
表示非記憶性を有し、前記検索の結果を表示する第２の表示手段とを備えることを特徴とする文字検索システム。
【発明の詳細な説明】
【技術分野】
【０００１】
本発明は、電子書籍のようなコンテンツを表示すると共に、表示したコンテンツの中から所望する文字を検索する文字検索システムに関する。
【背景技術】
【０００２】
表示記憶性を有する表示画面を具備した画像表示装置が用いられている。このような表示画面は、再描画させる動作が必要がないことから、画面上にフリッカーが発生しないため、表示画面を見るユーザの目に優しく、紙に近い表示品質が得られることが知られている。他方で、このような表示画面は、表示を書き換える速度が遅いため、動きのあるユーザインターフェイス画像を表示させると、スムーズに操作できないという問題を有した。このような問題に対処するために、下記特許文献１に記載されている表示媒体は、表示の応答速度が表示画面よりも高速な表示非記憶性のサブディスプレイを、表示画面とは独立して設け、ユーザインターフェイス画像等のコンテンツに関する情報を、このサブディスプレイに表示させていた。
【０００３】
【特許文献１】特開２００４−１０２６６１号公報
【発明の開示】
【発明が解決しようとする課題】
【０００４】
しかしながら、前記したような画像表示装置は、表示記憶性を有する表示画面で表示するコンテンツをサブディスプレイに表示して、ユーザに選択させるようなユーザインターフェイスの機能は搭載されていたが、所望する文字をユーザが入力して、表示したコンテンツの中から前記文字を検索し、検索結果をサブディスプレイに表示するような機能は搭載されていなかった。
【課題を解決するための手段】
【０００５】
上記した課題を解決するために、本発明の画像表示装置は、表示記憶性を有し、文字を含むコンテンツを表示する第１の表示手段と、１つ以上の文字が入力される文字入力手段と、前記コンテンツの中から、前記文字を検索する検索手段と、表示非記憶性を有し、前記検索の結果を表示する第２の表示手段とを備えることを特徴とする。
【０００６】
この発明によれば、表示記憶性を有する第１の表示手段に表示されているコンテンツの中から検索する文字は、文字入力手段から入力された後、検索手段で検索されると共に、検索結果は、表示非記憶性を有する第２の表示手段に表示されるため、コンテンツの中から所望する文字を検索し、検索した結果を、第１の表示手段に表示されたコンテンツに影響を与えること無く、表示応答性に優れる第２の表示手段に表示する機能を容易に享受できる。
【０００７】
本発明は、前記検索の結果の中から、前記検索した１つを選択する選択手段を更に備え、前記第１の表示手段は、前記選択された１つに対応する前記コンテンツの領域を更に表示することが好ましい。
この発明によれば、検索された結果の中から、所望する１つを選択できることに加え、選択した１つに対応するコンテンツの領域を第１の表示手段に表示できるため、検索結果を高品質に表示できる。
【０００８】
本発明では、前記文字入力手段は、前記文字が手書きにより入力されることが好ましい。
【０００９】
この発明によれば、手書きによる入力のため、検索する文字を迅速に入力できることに加え、読み方が不明な文字を容易に入力できる。
【００１０】
本発明では、前記第２の表示手段は、前記手書きにより入力される文字を更に表示することが好ましい。
【００１１】
この発明によれば、文字入力手段で手書き入力した文字を、表示応答性に優れる第２の表示手段で迅速に視認できる。
【００１２】
上記した課題を解決するために、本発明の文字検索システムは、コンテンツを表示するコンテンツ表示装置と、当該コンテンツ表示装置に対して指示する指示装置とが通信により接続された文字検索システムであって、コンテンツ表示装置は、表示記憶性を有し、文字を含むコンテンツを表示する第１の表示手段と、前記指示装置から文字を受信する受信手段と、前記コンテンツの中から、前記受信した文字を検索する検索手段と、前記検索の結果を前記指示装置に送信する送信手段とを備え、指示装置は、１つ以上の文字が入力される文字入力手段と、前記入力された文字を前記コンテンツ表示装置に送信する送信手段と、前記コンテンツ表示装置から前記検索の結果を受信する受信手段と、表示非記憶性を有し、前記検索の結果を表示する第２の表示手段とを備えることを特徴とする。
【００１３】
この発明によれば、表示記憶性を有する第１の表示手段に表示されているコンテンツの中から検索する文字は、文字入力手段から入力された後、検索手段で検索されると共に、検索結果は、表示非記憶性を有する第２の表示手段に表示されるため、コンテンツの中から所望する文字を検索し、検索した結果を、第１の表示手段に表示されたコンテンツに影響を与えること無く、高速に表示可能な第２の表示手段に表示する機能を容易に享受できる。
【発明を実施するための最良の形態】
【００１４】
以下、本発明の実施形態について、画像を表示する画像表示装置１を用いて説明する。
（実施形態１）
【００１５】
図１は、本実施形態１における画像表示装置１の外観を示す図である。この画像表示装置１は、電子書籍等のコンテンツを表示する携帯可能な電子機器であり、画像表示装置１の表面には、広範な表示領域を有するメインディスプレイ１０と、このメインディスプレイ１０より狭い表示領域を有するサブディスプレイ１５と、ユーザの手書きによる入力が可能な手書き入力装置２０と、ユーザが操作可能な操作ボタン３０とが配置されている。また、画像表示装置１の一方の側面には、メモリカード３５を装着可能なメモリカードドライブ２５が配置されている。尚、このメモリカード３５には、電子書籍等のコンテンツのデータが格納されている。
【００１６】
メインディスプレイ１０には、電子書籍等のコンテンツ画像４５がページ毎に表示され、操作ボタン３０で所定の操作を行うことにより、ページ捲り操作が実行される。また、手書き入力装置２０は、ユーザがペン状の指示具４０を介して入力面に書き込む文字情報を、識別してテキスト情報に変換する機能を有する。ここで、テキスト情報に変換された文字情報は、後述する検索手段８４（図３）に送られ、検索手段８４は、メインディスプレイ１０に表示されているコンテンツの中から、検索対象の文字を検索する。このようにして、検索結果は、サブディスプレイ１５に表示され、本実施形態１では、検索対象の文字を含む所定の長さの文字列と、この文字列が記載されたコンテンツのページおよび行に関する情報とが表示される。
【００１７】
図２は、画像表示装置１のハードウェア構成を示す図である。この画像表示装置１は、ＣＰＵ５０と、ＲＡＭ５２と、ＲＯＭ５４と、メインディスプレイコントローラ５６と、サブディスプレイコントローラ５８と、入力Ｉ／Ｆ６０とを備え、これらのハードウェアは、バス６２により各信号が授受可能に接続されている。尚、これらのハードウェアは、所定のオペレーティングシステム（ＯＳ）により管理され、ＲＯＭ５４に記憶されたドライバを含む種々のソフトウェアにより、所定の機能が実行される。
【００１８】
ＣＰＵ５０は、基本ソフトウェアや接続された周辺機器のデバイスドライバなどの各種プログラム、およびコンテンツ等の各種のデータを、ＲＯＭ５４から読み込み、これらをＲＡＭ５２内に設けられるメインメモリ領域に展開して実行する。メインディスプレイコントローラ５６は、ＣＰＵ５０の指示に従い、画像をメインディスプレイ１０に表示する。同様に、サブディスプレイコントローラ５８は、ＣＰＵ５０の指示に従い、画像をサブディスプレイ１５に表示する。
【００１９】
メインディスプレイ１０は、第１の表示手段７４（図３）であり、電力非供給時においても表示内容を保持する記憶性を有する表示体であり、例えば、コレステリック液晶のパネルや、電気泳動方式の表示体を採用できる。また、サブディスプレイ１５は、第２の表示手段８０（図３）であり、表示内容の保持に電力が必要な、単純マトリックス方式やアクティブマトリックス方式の液晶ディスプレイや、電界発光効果ディスプレイ等を採用できる。
【００２０】
入力Ｉ／Ｆ６０には、手書き入力装置２０、メモリカードドライブ２５および操作ボタン３０が、それぞれ所定の規格に従い接続されている。手書き入力装置２０は、入力面に書かれた手書き文字を認識して、該当する文字コードに変換する機能を備える。このような装置としては、例えば、特開２０００−８２１１２を採用できる。また、メモリカードドライブ２５は、フラッシュメモリ６４を備えるメモリカード３５が装着可能であり、このフラッシュメモリ６４には、コンテンツのデータがファイル形式で記憶され、ＣＰＵ５０からの指示に応じて読み込まれる。更に、操作ボタン３０は、サブディスプレイ１５に表示されるメニューに従いボタンを押下することで、所定の機能を実行できる。操作ボタン３０は、具体的には、選択可能な項目をサブディスプレイ１５に表示するボタン、サブディスプレイ１５上で選択する項目を上下左右に移動するボタンおよび一つ前の画面に戻るボタンを備える。
【００２１】
図３は、画像表示装置１の機能構成を示す機能ブロック図である。この画像表示装置１は、コンテンツデータ取得手段７０と、第１の画像生成手段７２と、第１の表示手段７４と、操作手段７６と、検索結果選択手段８６と、検索手段８４と、文字入力手段８２と、第２の画像生成手段７８と、第２の表示手段８０とを備える。
【００２２】
コンテンツデータ取得手段７０は、操作ボタン３０から成る操作手段からの指示により、電子書籍等のコンテンツデータを外部から取得する。具体的には、コンテンツデータを記憶したメモリカード３５をメモリカードドライブ２５に装着し、所望するコンテンツデータを読み込む。取得されたコンテンツデータは、第１の画像生成手段７２に送られる。
【００２３】
第１の画像生成手段７２は、コンテンツデータ取得手段７０から送られるコンテンツデータから、第１の表示手段７４で表示可能な画像のデータを生成し、生成された画像を第１の表示手段７４、即ち、メインディスプレイ１０に表示する。また、第１の画像生成手段７２は、検索結果選択手段８６から送られるコンテンツの場所を示す情報に従い、メインディスプレイ１０に表示されているコンテンツの中から、指示されたページの画像をメインディスプレイ１０に表示させる機能も有する。
【００２４】
文字入力手段８２は、ユーザにより文字が入力される。具体的には、手書き入力装置２０により、ユーザにより手書きにより入力された文字のコードが取得され、検索手段８４に送られる。尚、ここで入力され、検索手段８４に送られる文字は、１文字に限定されず、所定の文字数を越えない範囲の文字列であっても良い。また、手書きによる入力に限定されず、例えば、サブディスプレイ１５にキーボードを表示して、操作ボタン３０による指示と漢字変換機能により、所望する文字列を入力しても良い。尚、文字入力手段８２で入力される文字は、第２の表示手段８０で視認可能に表示されるように構成されている。
【００２５】
検索手段８４は、文字入力手段８２から送られる文字を、第１の表示手段７４で表示されているコンテンツの最初のページから順次検索する。このように、コード化された文字を所定の領域から検索する方法は、例えば、特開平６−１６２０８３のような方法を採用できる。このような方法による検索の結果、一致した場合は、検索対象の文字を含む所定の長さの文字列や、検索できた個所を特定できるコンテンツのページや行の情報と共にテーブル（図示は省略）に順次記載され、ＩＤ番号が付与される。また、テーブルに記載された情報は、第２の画像生成手段７８に送られる。
【００２６】
第２の画像生成手段７８は、検索手段８４から送られる検索結果の情報から、第２の表示手段８０で表示可能な画像のデータを生成し、生成された画像を第２の表示手段８０、即ち、サブディスプレイ１５に表示する。尚、サブディスプレイ１５は、表示内容の保持に電力が必要な表示体を採用するため、通常は電力が供給されず、文字入力手段８２に文字が入力されたり、操作ボタン３０が押下されたことを受けて電力が供給されるように構成されている。
【００２７】
検索結果選択手段８６は、サブディスプレイ１５に表示された検索結果の中から、ユーザが操作手段７６で指示した検索結果のＩＤ番号を抽出し、抽出したＩＤ番号が示すコンテンツの場所に関する情報をテーブルから取得した後、この情報を第１の画像生成手段７２に送る。
【００２８】
以上の構成により、外部から取得された電子書籍等のコンテンツの画像は、表示記憶性を備えたメインディスプレイ１０に表示される。他方で、文字入力手段８２からユーザにより入力された文字は、メインディスプレイ１０に表示されたコンテンツの中から検索手段８４により検索され、検索された結果は、サブディスプレイ１５に順次表示される。ここで、検索結果の１つがユーザにより選択され、選択された検索結果が含まれるコンテンツのページは、メインディスプレイ１０に表示される。
【００２９】
以上述べた実施形態１によれば、以下のような効果を奏する。
（１）サブディスプレイ１５は表示の応答速度が速いことから、手書き入力された文字や検索の結果は迅速に表示されるため、ユーザは、表示の速度にストレスを感じることなく、迅速に操作できる。
（２）検索結果が格納されるテーブルの各データにはＩＤ番号が付与され、検索結果の選択や、選択された検索結果の表示指示には、ＩＤ番号により指示されるため、画像表示装置１におけるデータの処理を簡略化できる。
（実施形態２）
【００３０】
次に、本発明の実施形態２について説明する。尚、以下の説明では、既に説明した部分と同一な部分については、同一符号を付してその説明を省略する。図４は、本実施形態２における画像表示装置１の外観を示す図である。前記した実施形態１において、画像表示装置１は、１つの筐体上に構成されたが、本実施形態２では、コンテンツ表示装置２と、指示装置３とで構成される。
【００３１】
コンテンツ表示装置２は、電子書籍等のコンテンツを表示する携帯可能な電子機器であり、表面には、広範な表示領域を有するメインディスプレイ１０と、ユーザが操作可能な操作ボタン３０とが配置されている。また、画像表示装置１の一方の側面には、メモリカード３５を装着可能なメモリカードドライブ２５が配置されている。また、指示装置３は、前記したコンテンツ表示装置２よりも小型な携帯型の端末機器であり、表面には、メインディスプレイ１０より狭い表示領域を有するサブディスプレイ１５と、ユーザが操作可能な操作ボタン３２とが配置されている。尚、指示装置３は、上記機能に加えて、音声による携帯電話機能や、電子手帳のような機能も具備していても良い。
【００３２】
更に、コンテンツ表示装置２と指示装置３とは、互いに通信可能な通信機能をそれぞれ備え、種々の情報を授受できるように構成されている。例えば、指示装置３には、サブディスプレイ１５上をペン状の指示具４０（図１）により手書きされた文字がテキスト情報に変換されて入力される手書き入力装置２０（図５）が具備され、このようなテキスト情報や、操作ボタン３２の操作指示の情報は、指示装置３から画像表示装置１に送信されると共に、前記操作指示を受けて画像表示装置１で処理した結果は、画像表示装置１から指示装置３に送信される。尚、画像表示装置１と指示装置３とが通信により連動して実行される処理については、後述する。
【００３３】
図５は、画像表示装置１のハードウェア構成を示す図である。最初に、コンテンツ表示装置２は、ＣＰＵ５０と、ＲＡＭ５２と、ＲＯＭ５４と、メインディスプレイコントローラ５６と、入力Ｉ／Ｆ６０と、通信Ｉ／Ｆ９０Ａとを備え、これらのハードウェアは、バス６２により各信号が授受可能に接続されている。また、入力Ｉ／Ｆ６０には、メモリカードドライブ２５と操作ボタン３０とが、所定の規格により接続されている。更に、メインディスプレイコントローラ５６には、メインディスプレイ１０が接続されている。また、通信Ｉ／Ｆ９０Ａには、通信装置９５Ａが接続されている。この通信装置９５Ａは、電波や光等を搬送波とする無線通信により、相手側の通信装置９５Ｂとの間で情報を含む信号の送受信を行う装置である。このような通信は、相手側の通信装置９５Ｂと直接に交信する様態に限定されず、ネットワークや公衆通信網等を経由して交信する様態であっても良い。尚、これらのハードウェアは、所定のオペレーティングシステム（ＯＳ）により管理され、ＲＯＭ５４に記憶されたドライバを含む種々のソフトウェアにより、所定の機能が実行される。
【００３４】
指示装置３は、ＣＰＵ１５０と、ＲＡＭ１５２と、ＲＯＭ１５４と、サブディスプレイコントローラ５８と、入力Ｉ／Ｆ１６０と、通信Ｉ／Ｆ９０Ｂとを備え、これらのハードウェアは、バス１６２により各信号が授受可能に接続されている。これらの中で、ＣＰＵ１５０、ＲＡＭ１５２およびＲＯＭ１５４については、前記したコンテンツ表示装置２のそれぞれと同一の機能を有するため、説明は省略する。また、入力Ｉ／Ｆ１６０には、手書き入力装置２０と操作ボタン３２とが、所定の規格により接続されている。更に、サブディスプレイコントローラ５８には、サブディスプレイ１５が接続されている。尚、本実施形態２では、手書き文字の入力面は、サブディスプレイ１５の表示面を併用している。具体的には、指示具の移動を検出する電磁誘導方式や感圧式のタブレットが前記表示面に布設されている。また、通信Ｉ／Ｆ９０Ｂには、通信装置９５Ａと通信可能な通信装置９５Ｂが接続されている。これらのハードウェアは、所定のオペレーティングシステム（ＯＳ）により管理され、ＲＯＭ１５４に記憶されたドライバを含む種々のソフトウェアにより、所定の機能が実行される。
【００３５】
図６は、画像表示装置１の機能構成を示す機能ブロック図である。この中で、コンテンツ表示装置２は、コンテンツデータ取得手段７０と、第１の画像生成手段７２と、第１の表示手段７４と、操作手段７６と、検索手段８４と、通信手段８８Ａとを備える。また、指示装置３は、文字入力手段８２と、操作手段７７と、検索結果選択手段８６と、第２の画像生成手段７８と、第２の表示手段８０と、通信手段８８Ｂとを備える。この中で、通信手段（８８Ａ，８８Ｂ）は、それぞれ送信手段（９６Ａ，９６Ｂ）と受信手段（９８Ａ，９８Ｂ）とを具備し、文字入力手段８２で手書き入力された文字のコードに関する情報、検索手段８４で検索された結果が記載されたテーブルに関する情報および検索結果選択手段８６で選択されたＩＤ番号に関する情報等を、通信により授受する。
【００３６】
図７は、コンテンツ表示装置２および指示装置３が連携した処理の流れを示すタイミング図であり、この図に従い、画像表示装置１の処理を説明する。
【００３７】
最初に、コンテンツ表示装置２の第１の表示手段７４であるメインディスプレイ１０には、コンテンツデータ取得手段７０により取得されたコンテンツの画像４５が表示されている（ステップＳ１００）。
【００３８】
指示装置３は、ユーザにより起動された後、接続要求信号を通信手段８８Ｂからコンテンツ表示装置２に対して送信する（ステップＳ１０２）。
【００３９】
コンテンツ表示装置２の通信手段８８Ａは、指示装置３から送信された接続要求信号を受信する（ステップＳ１０４）。
【００４０】
前記受信を受け、コンテンツ表示装置２は、指示装置３との間の通信による接続を許可すると共に、接続許可信号を通信手段８８Ａから指示装置３に対して送信する（ステップＳ１０６）。
【００４１】
指示装置３は、接続許可信号を受信する（ステップＳ１０８）。
【００４２】
上記した処理を経て、コンテンツ表示装置２および指示装置３は、所定のプロトコルにより、互いに接続されたことを確認する（ステップＳ１１０，ステップＳ１１２）。
【００４３】
次に、コンテンツ表示装置２は、メインディスプレイ１０に表示されているコンテンツの情報を送信する（ステップＳ１１４）。
【００４４】
指示装置３は、コンテンツの情報を受信する（ステップＳ１１６）。
【００４５】
次いで、指示装置３は、選択可能なメニューをサブディスプレイ１５に表示する（ステップＳ１１８）。
【００４６】
サブディスプレイ１５に表示されるメニューの中から、コンテンツ表示装置２で表示されているコンテンツから所望する文字を検索する機能がユーザにより選択された後、検索すべき文字は、文字入力手段８２からユーザにより入力される（ステップＳ１２０）。
【００４７】
続いて、指示装置３は、検索する文字の情報と、検索対象のコンテンツの情報とを送信する（ステップＳ１２２）。
【００４８】
コンテンツ表示装置２は、検索する文字の情報と、検索対象のコンテンツの情報とを受信する（ステップＳ１２４）。
【００４９】
続いて、コンテンツ表示装置２は、メインディスプレイ１０に表示されているコンテンツが検索対象であることを確認した後、検索手段８４に対して、コンテンツの中から前記文字を検索させる（ステップＳ１２６）。
【００５０】
次いで、コンテンツ表示装置２は、検索した結果が記載されたテーブルの情報を送信する（ステップＳ１２８）。
【００５１】
指示装置３は、検索結果を含むテーブルを受信する（ステップＳ１３０）。
【００５２】
続いて、指示装置３は、受信したテーブルから検索結果をサブディスプレイに１５に表示する（ステップＳ１３２）。
【００５３】
サブディスプレイ１５に表示される検索結果の中から、コンテンツ表示装置２に表示させる検索結果が、検索結果選択手段８６を介してユーザにより選択される（ステップＳ１３４）。
【００５４】
続いて、指示装置３は、選択された検索結果を示す識別ＩＤを送信する（ステップＳ１３６）。
【００５５】
コンテンツ表示装置２は、選択された検索結果を示す識別ＩＤを受信する（ステップＳ１３８）。
【００５６】
続いて、コンテンツ表示装置２は、識別ＩＤが示す検索結果が含まれるコンテンツのページをメインディスプレイ１０に表示する（ステップＳ１４０）。
【００５７】
次に、コンテンツ表示装置２および指示装置３は、互いの接続を切断し、一連の処理を終了する（ステップＳ１４４，ステップＳ１４２）。このようにして、メインディスプレイ１０に表示されたコンテンツの中から、ユーザにより入力された文字を検索してサブディスプレイ１５に検索結果が表示されると共に、ユーザが選択した検索結果の１つが含まれるコンテンツの所定の領域は、メインディスプレイ１０に表示される。
【００５８】
以上述べた実施形態２によれば、実施形態１と同様の効果を奏する。
【００５９】
以上、本発明を図示した実施形態に基づいて説明したが、本発明は、本実施形態に限定されるものではなく、以下に述べるような変形例も想定できる。
（１）検索可能な文字は、日本語に限定されず、外国語を含む文字を検索の対象にしても良い。
（２）文字の入力は、手書きによる入力に加え、ユーザが発する音声を認識して入力しても良い。
（３）コンテンツ表示装置２および指示装置３は、予め相手側が決められた組合せに限定されず、コンテンツ表示装置２は、不特定の指示装置３を対象として、例えば、公共場所に設置されると共に、指示装置３は、インテリジェントな位置指示具として、どこからでもコンピュータを利用するユビキタスな社会に対応した機器であっても良い。
【図面の簡単な説明】
【００６０】
【図１】本発明の実施形態１に係る画像表示装置の外観を示す図。
【図２】本発明の実施形態１に係る画像表示装置のハードウェア構成を示す図。
【図３】本発明の実施形態１に係る画像表示装置の機能構成を示す機能ブロック図。
【図４】本発明の実施形態２に係る画像表示装置の外観を示す図。
【図５】本発明の実施形態２に係る画像表示装置のハードウェア構成を示す図。
【図６】本発明の実施形態２に係る画像表示装置の機能構成を示す機能ブロック図。
【図７】本発明の実施形態２に係るコンテンツ表示装置および指示装置が連携した処理の流れを示すタイミング図。
【符号の説明】
【００６１】
１…画像表示装置、２…コンテンツ表示装置、３…指示装置、１０…メインディスプレイ、１５…サブディスプレイ、２０…入力装置、２５…メモリカードドライブ、３０…操作ボタン、３２…操作ボタン、３５…メモリカード、４５…コンテンツの画像、５０…ＣＰＵ、５２…ＲＡＭ、５４…ＲＯＭ、５６…メインディスプレイコントローラ、５８…サブディスプレイコントローラ、６０…入力Ｉ／Ｆ、６２…バス、６４…フラッシュメモリ、７０…コンテンツデータ取得手段、７２…第１の画像生成手段、７４…第１の表示手段、７６，７７…操作手段、７８…第２の画像生成手段、８０…第２の表示手段、８２…文字入力手段、８４…検索手段、８６…検索結果選択手段、８８Ａ，８８Ｂ…通信手段、９０Ａ，９０Ｂ…通信Ｉ／Ｆ、９５Ａ，９５Ｂ…通信装置、９６Ａ，９６Ｂ…送信手段、９８Ａ，９８Ｂ…受信手段、１５０…ＣＰＵ、１５２…ＲＡＭ、１５４…ＲＯＭ、１６０…入力Ｉ／Ｆ、１６２…バス。
【図１】
2007171235.tif 000003
【図２】
2007171235.tif 000004
【図３】
2007171235.tif 000005
【図４】
2007171235.tif 000006
【図５】
2007171235.tif 000007
【図６】
2007171235.tif 000008
【図７】
2007171235.tif 000009